(57)【要約】      （修正有）【課題】コーナー部に、アイレベルキャビネットと、照明器具を有するコーナー吊戸棚を備えたＬ型システムキッチンにおいて、アイレベルキャビネットの扉を上部からの照明を阻害しない構造とすることにより、カウンターのコーナー部上面および作業する手元を明るく照らすことを可能とする。【解決手段】照明器具１１をコーナー吊戸棚底板部１２に取り付けることとし、アイレベルキャビネット３０においては、上下スライド式の扉３１、３２としたことを特徴とする。【選択図】  図２
2007312909.tif 000002
【特許請求の範囲】
【請求項１】
コーナー部を備えるフロアキャビネットと、その上方に配置するアイレベルキャビネットと、さらにその上方に配置される吊戸棚からなるシステムキッチンにおいて、前記アイレベルキャビネットより前方に位置する前記吊戸棚の底部に照明を備え、かつ前記アイレベルキャビネットの前部に収納部の開口部を有し、前記開口部を開閉する扉をスライド扉としたことを特徴とするシステムキッチン。
【発明の詳細な説明】
【技術分野】
【０００１】
本発明は、コーナー部を備えるシステムキッチン、コーナー部を備える流し台の、コーナー部での調理等作業に好適な、アイレベルキャビネットとさらにその上方に配置される照明を有する吊戸棚を備えたシステムキッチンに関する発明である。 
【背景技術】
【０００２】
従来のＬ型キッチンは、コーナー部での調理作業用の照明がキッチン本体、吊戸に設置  はなく、コーナー形状に対応した吊戸のみである（例えば、特許文献１参照。）。     このような場合、他の照明器具や窓からの採光によりできる影の問題があった。
【０００３】
また、照明を阻害することのない扉を有さないコーナー部壁面収納キャビネットもある（例えば、特許文献２参照。）。
しかし、この場合は収納キャビネットに防虫効果がなく、食物や調理器具等をしまうことを目的とするキャビネットとしては虫などの侵入を許し、不衛生になってしまうという問題があった。 
【特許文献１】特開２００２−２２３８７１号公報
【特許文献２】特開平７−２８９３６８号公報
【発明の開示】
【発明が解決しようとする課題】
【０００４】
本発明は、上記問題を解決するためになされたもので、本発明の課題は、コーナー部での作業を照明によりより使いやすくするとともに、コーナー部の収納について衛生性を確保することである。
【課題を解決するための手段】
【０００５】
上記目的を達成するためにコーナー部を備えるフロアキャビネットと、その上方に配置するアイレベルキャビネットと、さらにその上方に配置される吊戸棚からなるシステムキッチンにおいて、前記アイレベルキャビネットより前方に位置する前記吊戸棚の底部に照明を備え、かつ前記アイレベルキャビネットの前部に収納部の開口部を有し、前記開口部を開閉する扉をスライド扉としたことを特徴とするシステムキッチンを提供する。
【発明の効果】
【０００６】
本発明によれば、Ｌ型キッチンのコーナー部において、頻繁に使用する調味料や調理器具が、防虫効果のあるキャビネットに収納、取り出しが手近で行なえ、更にカウンター上面、作業する手元を明るく照らすという効果がある。
【発明を実施するための最良の形態】
【０００７】
以下、本発明の実施の形態を図面に基づき詳細に説明する。
図１は本発明の第一実施例の形態におけるコーナー部を備えるキッチンを示した模式図である。１はコーナー部を備えるフロアキャビネット、２０は前記フロアキャビネットに載るキッチンカウンター、その上方に位置するアイレベルキャビネット３０、さらにその上方に配置される吊戸棚３、前記キッチンカウンターの斜線部で示すコーナー部２１の左側に調理用コンロ４、右側にはシンク５が配置される。アイレベルキャビネット３０の設置方法としては、キッチンスペースのコーナー部壁面を利用し、壁面に寄せて壁固定する方法である。他の設置方法としては、５のシンク側を対面式のオープン仕様、４のコンロ側オープン仕様とする方法で、前記フロアキャビネットのオープン仕様側は床固定および腰壁へ固定し、吊戸棚は垂れ壁への固定としても良い。
【０００８】
図２はコーナー吊戸棚１０と、アイレベルキャビネット３０の設置位置関係を示す正面図である。キッチンカウンターのコーナー部２１の上方に位置するアイレベルキャビネット３０には、調理作業者がキッチンのコーナー部に立った時に正対した上扉３１と下扉３２によるスライド扉を備え、１０のコーナー吊戸棚には、前記アイレベルキャビネットの扉前方であり調理作業者側にあたる、吊戸棚底板部１２に照明１１ａ及び１１ｂが取り付けられる。
【０００９】
照明１１ａと１１ｂは、吊戸棚底板１２に埋め込みタイプになっており、照明の使用数は、本実施例において２個とし、キッチンカウンターのコーナー部２１を明るく照らせるよう下方へ向けて設置される。アイレベルキャビネット３０には上扉３１と下扉３２が取り付けられている。よって、アイレベルキャビネット収納部３５がそれらによりふさがれるので、キャビネット内への収納物への防虫効果につながる。
【００１０】
図３は壁面６に固定されるコーナー吊戸棚１０と、アイレベルキャビネット３０の設置位置関係を示す第一実施例のコーナー部断面図である。コーナー吊戸棚前面１５より、アイレベルキャビネット３０の前面が奥まった配置となり、その奥行き方向に発生する吊戸棚底板露出部分１３を利用し、照明１１ａ及び１１ｂを下方へ向けて取り付けることを示す。照明の照射方向１４の示す通り、キッチンカウンターのコーナー部２１を直接的に照明を当てることにより、キッチンスペースの天井照明や窓からの採光によってできる調理作業者の影などによる影響は受けず、キッチンカウンターのコーナー部を明るく快適な調理作業スペースとすることを実現する。
なおここでは吊戸棚底板部１２のアイレベルキャビネットと触れていない手前側の底板部を吊戸棚底板露出部分としている。
【００１１】
アイレベルキャビネット３０に取り付けられる上扉３１及び下扉３２は、３３の扉スライド方向によって開閉操作を行ない、収納部３５の収納物を出し入れすることができる。扉の開閉方法について本実施例では前述のような上下にスライドさせる方法とした。また、通常の引き戸の様な左右方向へのスライドによる開閉方法、もしくはシャッター方式といった、図示する照明の照射方向１４を阻害しない構造とすることにより、扉が開放状態、閉状態に関わりなく、照明直下になるキッチンカウンターのコーナー部２１は、常に明るさを保つことができる。
【００１２】
アイレベルキャビネット底板３４は、キッチンカウンターのコーナー部２１との間に隙間を設けることにより、調理中の材料やお皿などを一時的に置くことや、キッチンカウンターの奥のほうまで清掃が行ない易くなっている。
【００１３】
したがって、調理作業者を自然とキッチンコーナー部へ導き、キッチンコーナー部を中心とした調理作業動線が生まれ、コーナー部形状であることにより、その作業動線も短縮される。メインの調理作業スペースとなるコーナー部には頻繁に使用する調理器具、調味料をアイレベルキャビネット収納部３５に収納し、その扉構造と、コーナー吊戸棚の照明位置とによって調理中の手元を終始明るく保つことができる。
【図面の簡単な説明】
【００１４】
【図１】本発明の実施の形態を示す図である。
【図２】本発明の実施の形態に関するキャビネット配置例正面図である。
【図３】本発明の実施の形態に関するキャビネット配置例断面図である。
【符号の説明】
【００１５】
１……コーナー部を備えるフロアキャビネット
３……吊戸棚
４……調理用コンロ
５……シンク
６……壁面
１０……コーナー吊戸棚
１１ａ…照明
１１ｂ…照明
１２……吊戸棚底板部
１３……吊戸棚底板露出部
１４……照明の照射方向
１５……コーナー吊戸棚前面
２０……キッチンカウンター
２１……キッチンカウンターのコーナー部
３０……アイレベルキャビネット
３１……上扉
３２……下扉
３３……扉スライド方向
３４……アイレベルキャビネット底板
３５……アイレベルキャビネット収納部
【図１】
2007312909.tif 000003
【図２】
2007312909.tif 000004
【図３】
2007312909.tif 000005